(57)【要約】      （修正有）【課題】供給水量が少ない又は水圧が低い場合でも、気水混合流中の気泡の量を安定的に保つことができる泡シャワー装置を提供する。【解決手段】加圧水流入孔を介して旋回筒の外部から内部に加圧水を流入させることにより旋回水流を形成し、その中心部に発生する低圧部と旋回筒の外部とを空気管によって貫通し、空気管を介して吸引された外部空気を旋回水流に巻き込んで気水混合流を発生させ、旋回筒の上部の上側ほど断面積が小さくなるように出口開口４を絞り、流体分散板５を出口開口４の上側に配置した。出口開口４と流体分散板５との隙間から分散した分散流を、下端が開口し上端が円周方向及び半径方向に複数の気水混合流分割分散孔８を設けた天井部９を有する円筒室７の中に導入せしめる。【選択図】図１
0003168057.tif 000002
【実用新案登録請求の範囲】
【請求項１】
加圧水を第１流入水路の回転をへて第２流入水路又は複数の流入水路に導入され更に旋回筒に導入させることによって、前記旋回筒内に旋回水流を形成しその旋回水流の中心部に流体力学的に発生する低圧部と、前記旋回筒の外部とを、前記旋回筒の底部を貫通して前記旋回筒の内部に突出せしめられた空気管によって連通し前記空気管を介入して発生せしめた強大な低圧力によって気水混合流を発生させ、前記旋回筒の上部に開口を形成すると共に、前記旋回筒の上部の上側ほどその開口の断面が小さくなるように前記旋回筒の上部の開口を絞り、前記旋回筒の上部の開口から前記低圧部への水又は空気の逆流を阻止することによって、前記低圧部の圧力上昇を防止する気水分散手段を前記旋回筒の上部との間の隙間を介して気水混合流を噴出分散させるように構成された気水分散装置において、複数の気水混合流分散孔を設けた天井部を有する円筒室を前記旋回筒と同心に前記気水混合流の分散下流側に設け、前記噴出分散させた気水混合流を前記円筒室に導入せしめ、気水混合流同士の旋回衝突により、気水混合流中の気泡の一層の微小化を促進せしめ、前記気水混合流分割分散孔から気水混合流を噴出せしめることにより、気泡の更なる微小化を計り、前記円筒室の軸方向に集中的に分割分散せしめる。
【請求項２】
前記気水分散手段は、前記旋回筒の中心軸と一致した分散軸の前記低圧部側の一端に流体分散板を設け、他端を前記円筒室に固定し、分散軸の長さは前期低圧部の圧力が最も低く保たれ外部の空気の吸入量が最大になるように設定されていることを特徴とする請求港１に記載の泡シャワー。
【請求項３】
外筒内に流入水路を２又は複数個も設けることによって流水の回転速度を序々に高め旋回筒に導入された水流速度が一層高められることによって、低圧部に大きな圧力が発生、空気管より多量の空気が吸入され、これによって多量の気水混合流が発生することを特徴とする請求項１及び２に記載の泡シャワーである。
【考案の詳細な説明】
【技術分野】
【０００１】  本考案は気水混合流を噴出分散せしめる泡シャワーに関する。【０００２】  詳細には、本考案は、旋回筒の筒状壁に形成された１個または複数個の加圧水流入孔を介して、旋回筒の外側から内部に旋回筒の接線方向に例えば水道水のような加圧水を流入させることにより、旋回筒の内部に旋回水流を形成し、その旋回水流の中心部に流体力学的に発生する低圧部と、旋回筒の外部とを、旋回筒の底部に貫通して旋回筒の内部に突出せしめられた空気管によって連通し、空気管を介して吸引された旋回筒の外部の空気を旋回水流に巻き込んで気泡化することにより気水混合流を発生させ、旋回筒の上部に開口を形成すると共に、旋回筒の上部の上側ほどその開口の断面積が小さくなるように旋回筒の上部の開口を絞り、旋回筒上部から低圧部への水または空気の逆流を阻止することによって、低圧部の圧力上昇を防止する気水分散手段を旋回筒の上部の開口の上側に配置し、気水分散手段の下端と旋回筒の上部との間の隙間を介して気水混合流の分散された泡シャワーに関する。【０００３】  更に詳細には、本考案は、気水混合流中の気泡の微小化を促進し、気水分散流として、分散させることができる泡シャワーに関する。
【背景技術】
【０００４】  従来から、気水混合流を分散させるように構成された気水混合流分散装置（液体の微粒化分散装置）が知られている。この種の気水混合流分散装置（流体の微粒化分散装置）の例としては、例えば実用新案第３１６２８６７号などに記載されたものがある。【０００５】  実用新案第３１６２８６７号公報に記載された気水混合流分散装置（流体の微粒化分散装置）では、旋回筒の筒状壁に１個または複数個の加圧水流孔（流体供給孔、水噴出口）が形成されている。更に、加圧水流入孔（流体供給孔、水噴出口）を介して、旋回筒の外部から内部に旋回筒の接線方向に加圧水が流入せしめられ、それにより、旋回筒の内部に旋回水流が形成される。【０００６】  詳細には、実用新案第３１６２８６７号に記載された気水混合流分散装置（流体の微粒化分散装置、）では、旋回水流の中心部に流体力学的に発生する低圧部と、旋回筒の外部とが、旋回筒の底部を貫通して旋回筒の内部に突出せしめられた空気管（流体噴出管）によって連通せしめられている。【０００７】  次いで、に実用新案第３１６２８６７号に記載された気水混合流分散装置（流体の微粒化分散装置）では、空気管（流体噴出管）を介して吸引された旋回筒の外部空気が、旋回水流に巻き込まれ、気泡化せしめられる。その結果、気水混合流が発生せしめられる。【０００８】  詳細には、実用新案第３１６２８６７号に記載された気水混合流分散生装置（流体の微粒化分散装置）では、旋回筒の上部に開口（流体出口）が形成されている。更に旋回筒の上部の上側ほどその開口（流体出口）の断面積が小さくなるように、旋回筒の上部の開口（流体出口）が絞られている。【０００９】  また、実用新案第３１６２８６７号に記載された気水混合流分散装置（液体の微粒化分散装置）では、旋回筒の上部の開口（流体出口）から低圧部への水または空気の逆流を阻止することによって、低圧部の圧力上昇を防止するための気水分散手段（流体分散版、気水分散版）が、旋回筒の上部の開口（流体出口）の上側に配置されている。【００１０】  次いで、実用新案第３１６２８６７号に記載された気水混合流分散装置（流体の微粒化分散装置、）では、気水分散手段（流体分散版、気水分散版）の下端と旋回筒の上部との間の隙間を介して、気水混合流が噴出分散せしめられる。【００１１】
【特許文献１】  実用新案第３１６２８６７号
【考案の開示】
【考案が解決しようとする課題】
【００１２】  ところで実用新案第３１６２８６７号に記載された気水混合流分散装置では、外筒内内部の容積が大きいため、流入する水量及び水圧によって旋回筒１内の圧力が十分得られないため、低圧部Ｐでの空気吸入量が十分導入されない。【００１３】  そのため、実用新案第３１６２８６７号に記載された気水混合分散装置では、気水混合流の分散が著しく阻害され、外部に分散する際の水流が弱くなり、効果が弱くなり、効果が低減する。【００１４】  その結果、供給される水流量の少ないときには、十分な気泡水としてのシャワー効果が得られない。【００１５】  そこで本考案者は鋭意研究を行なった結果、実用新案第３１６２８６７号に記載されている流入水路１１を円筒室７内に追加設置することによって水流の回転数が多くなり、水流量の少ない場合でも低圧部の圧力増大にともなって空気吸入量の増加が計られることを見出したのである。【００１６】更に前期流入水路１１及び１２に流入した水流の回転数を円筒室７内で円周方向に２回転し、更に旋回筒１内で回転させ、合計３回転の水流を発生させることによって供給水量の少ない場合でも、十分な効果が得られる。【００１７】  又実用新案第３１６２８６７号では円筒室７内及び旋回筒１内での回転数が２回あるため、回転流の速度が十分に得られない欠点があった。これを３回転することによって回転速度が序々に上がり最終的には、気水混合流Ｆ３の流速が増加せしめられることを見出したのである。【００１８】  即ち、本考案は供給水量又は供給水圧の少ない場合でも気水混合流中の気泡の量を安定的に保つことが出来、供給水量に幅を持った泡シャワーを提供することを目的とする。【００１９】  詳細には本考案は、旋回筒１内に流入する前に水流に加速をつけることによって、旋回筒１の加圧水流孔２に流入するまでに十分な回転速度が得られ、より強力な気水混合流が得られる。
【課題を解決するための手段】
【００２０】  実用新案第３１６２８６７号に記載の考案によれば、外筒内１に形成された流入水路は１ケであったため、供給水量又は水圧が少ない場合に旋回筒１内に十分な圧力を有した水流を導入することが出来なかった。そのため前記旋回筒に十分な加圧水流を導入することが困難となり、その旋回水流の中心部に流体力学的に発生する低圧部の圧力が十分得られず、空気吸入量が少ないことによって、目的の旋回気泡水流が低下し、泡シャワーの効果が低下してしまう欠陥あった。これを解決する手段として、前記外筒内に流入水路１１を更に１ケ設置し、外筒内での水流の回転を２回転することによって、前記旋回筒に流入する水圧を十分加えることが可能になり、前記気水混合流で十分な空気を吸入した微細な気水混合流を発生させることが可能になった。
【考案の効果】
【００２１】  その結果、請求項１に記載された泡シャワーによれば、例えば実用新案第３１６２８６７号に記載された気水混合流分散装置のように導入水路が１ケの場合よりも導水水路を追加設置し２ケにすることによって流入水の旋回速度が上昇し、前記低圧部に発生する圧力が増し、空気管３より吸入される空気量が増加し、円筒室内に多量の気水混合流が発生する。【００２２】  請求項２に記載の泡シャワーでは、気水分散手段としての円形の流体分散板の軸が円筒室の中心軸と一致して固定されている。【００２３】  そのため請求項１に記載の泡シャワーでは流入水路を更に１ケ所追加設置することによって流入水の回転速度が上昇する。
【考案を実施するための最良の形態】
【００２４】  以下本考案の泡シャワーの第１の実施形態について説明する。
図１は第１の実施形態の泡シャワーの正面断面図、図２は第１の実施形態の泡シャワーの平面図、図３は図１のＩ−Ｉ線に沿った断面図である。【００２５】  第１の実施形態の泡シャワーでは図１及び図３に示すように、旋回筒１の筒状壁に例えば１ケの加圧水流入孔２が形成されている。第２の実施形態の泡シャワーでは、代わりに複数個の加圧水流入孔２を旋回筒１の筒状壁に形成することも可能である。【００２６】  第１の実施形態の泡シャワーでは、図１及び図３に示すように、加圧水流入孔２から供給された加圧水Ｆ１が加圧水流入孔２を介して旋回筒１の外部から内部に旋回筒１の接線方向に流入せしめられ、それにより、旋回筒１の内部に旋回水流Ｆ２が形成される。その結果、旋回水流Ｆ２の中心部に流体力学的に低圧部Ｐが発生する。【００２７】  更に、第１の実施形態の泡シャワーでは、図１に示すように、低圧部Ｐと、旋回筒１の外部とが、旋回筒１の底部を貫通して旋回筒１の内部に突出せしめられた空気管３によって連通せしめられている。そのため、空気管３を介して吸引された外部空気Ａが、低圧部Ｐの低圧効果によって旋回水流Ｆ２に巻き込まれ、気泡化せしめられる。その結果、気水混合流Ｆ３が発生せしめられる。【００２８】  また、第１の実施形態の泡シャワーでは、図１にしめすように、旋回筒１の上部に出口開口４が形成されている。更に、旋回筒１の上部の上側ほどその出口開口４の断面積が小さくなるように、旋回筒１の上部の出口開口４が絞られている。そのため、気水混合流Ｆ２が出口開口４を通過するときに、気水混合流Ｆ３の流速が増加せしめられる。【００２９】  更に第１の実施形態の泡シャワーでは、図１に示すように、旋回筒１の上部の出口開口４から低圧部Ｐへの水または空気の逆流を阻止する事によって、低圧部Ｐの圧力上昇を防止するための流体分散板５が旋回筒１の上部の出口開口４の上側に配置されている。【００３０】  詳細には、円形の流体分散板は旋回筒の中心軸と一致した分散軸６の低圧部側の一端に固定され、他端を円筒室７に固定されている。【００３１】  分散軸６の長さは、低圧部の圧力が最も低く保たれ、外気空気吸引量が最大になるように設定されている。【００３２】  詳細には、第１の実施形態の泡シャワーでは、図１に示すように、気水混合流分割分散孔８を、円周方向および半径方向に複数設けた天井部９を有する円筒室７を旋回筒１と同心に気水混合流Ｆ３の分散下流側に設け、噴出分散させた気水混合流Ｆ４を円筒室７に導入せしめ、後続の気水混合流との連続的旋回衝突により、気水混合流中の気泡の一層の微小化を促進せしめる。【００３３】  次いで、第１に実施形態の泡シャワーでは、複数の気水混合流分割分散孔８から泡シャワー流として外部に広い範囲に噴出される。【００３４】  詳細には第１の実施形態の泡シャワーでは、加圧水Ｆ１より流入した水流を最初流入水路１１に導入せしめ次に流入水路１２に導入され最終的には旋回筒１に導入され、前記加圧口より前記旋回筒に導入される過程まで水流の速度が順次増大され、その結果、旋回水流Ｆ２の中心部に流体力学的な低圧部Ｐからより大きく発生する。
【産業上の利用可能性】
【００３５】  本考案の泡シャワーは、例えば身体皮膚洗浄、刺激などに適用可能である。
【図面の簡単な説明】
【００３６】
【図１】  第１の実施形態の泡シャワーの正面断面図である
【図２】  第１の実施状態の泡シャワーの平面図である
【図３】  第１のＩ−Ｉ戦に沿った断面図である
【図４】  流体分散板右側面図である
【図５】  泡シャワーの一部断面側面図である
【図６】  泡シャワーのノズル部水噴出孔断面図である
【符号の説明】
【００３７】１  旋回筒
２  加圧水流入孔
３  空気管
４  出口開口
５  流体分散板
６  分散軸
７  円筒室
８  気水混合流分割分散孔
９  天井部
１０  外筒
１１  第１流入水路
１２  第２流入水路
【図１】
0003168057.tif 000003
【図２】
0003168057.tif 000004
【図３】
0003168057.tif 000005
【図４】
0003168057.tif 000006
【図５】
0003168057.tif 000007
【図６】
0003168057.tif 000008
【手続補正書】
【提出日】平成23年2月26日(2011.2.26)
【手続補正１】
【補正対象書類名】実用新案登録請求の範囲
【補正対象項目名】全文
【補正方法】変更
【補正の内容】
【実用新案登録請求の範囲】
【請求項１】
加圧水を第１流入水路の回転をへて第２流入水路又は複数の流入水路に導入され更に旋回筒に導入させることによって、前記旋回筒内に旋回水流を形成しその旋回水流の中心部に流体力学的に発生する低圧部と、前記旋回筒の外部とを、前記旋回筒の底部を貫通して前記旋回筒の内部に突出せしめられた空気管によって連通し前記空気管を介入して発生せしめた強大な低圧力によって気水混合流を発生させ、前記旋回筒の上部に開口を形成すると共に、前記旋回筒の上部の上側ほどその開口の断面が小さくなるように前記旋回筒の上部の開口を絞り、前記旋回筒の上部の開口から前記低圧部への水又は空気の逆流を阻止することによって、前記低圧部の圧力上昇を防止する気水分散手段を前記旋回筒の上部との間の隙間を介して気水混合流を噴出分散させるように構成された気水分散装置において、複数の気水混合流分散孔を設けた天井部を有する円筒室を前記旋回筒と同心に前記気水混合流の分散下流側に設け、前記噴出分散させた気水混合流を前記円筒室に導入せしめ、気水混合流同士の旋回衝突により、気水混合流中の気泡の一層の微小化を促進せしめ、前記気水混合流分割分散孔から気水混合流を噴出せしめることにより、気泡の更なる微小化を計り、前記円筒室の軸方向に集中的に分割分散することを特徴とする泡シャワー装置。
【請求項２】
前記気水分散手段は、前記旋回筒の中心軸と一致した分散軸の前記低圧部側の一端に流体分散板を設け、他端を前記円筒室に固定し、分散軸の長さは前期低圧部の圧力が最も低く保たれ外部の空気の吸入量が最大になるように設定されていることを特徴とする請求項１に記載の泡シャワー装置。
【請求項３】
外筒内に流入水路を２又は複数個も設けることによって流水の回転速度を序々に高め旋回筒に導入された水流速度が一層高められることによって、低圧部に大きな圧力が発生、空気管より多量の空気が吸入され、これによって多量の気水混合流が発生することを特徴とする請求項１〜２のいずれかに記載の泡シャワー装置。